(57)【要約】【課題】現在廃棄されているテープカートリッジ部品の再利用することによる、部品調達、製造コストの削減及び地球環境の保護と同時に、再利用対象の部材の品質保持をも実現する記録テープカートリッジを提供する。【解決手段】本体ケースと、本体ケース内にテープが巻装された少なくとも一つのリールを備え、テープカートリッジ内の部品のリユースに関する履歴情報を記録するリユース情報記録部を備えるテープカートリッジを提供する。そして、（１）テープはクリーニングテープである。（２）リユース品であることを本体ケース外面に表示する。（３）本体ケース内に更に非接触式メモリーを備え、メモリー内にリユースに関する履歴情報を記録する。の（１）〜（３）のいずれかの要件を満たしていると好ましい。【選択図】図１
2010033655.tif 000002
【特許請求の範囲】
【請求項１】
本体ケースと、本体ケース内にテープが巻装された少なくとも一つのリールを備えたテープカートリッジにおいて、
テープカートリッジ内の部品のリユースに関する履歴情報を記録するリユース情報記録部を備えるテープカートリッジ。
【請求項２】
テープはクリーニングテープである請求項１に記載のテープカートリッジ。
【請求項３】
リユース品であることをテープカートリッジ外面に表示していることを特徴とする請求項１または２に記載のテープカートリッジ。
【請求項４】
本体ケース内に更にメモリーを備え、
メモリー内にリユースに関する履歴情報を記録する請求項１、２又は３に記載のテープカートリッジ。
【発明の詳細な説明】
【技術分野】
【０００１】
本発明は、コンピューターテープカートリッジに係り、特にコストと資源の浪費を抑え、地球環境の保全を目的としたものである。
【背景技術】
【０００２】
従来から、コンピューター等のデータ記録再生媒体として使用されている磁気テープ等の記録テープを単一のリールに巻装し、そのリールをケース内に収容してなる記録テープカートリッジが知られている（特許文献１）。このような記録テープカートリッジのケースは、樹脂材で成形された上ケースと下ケースとが接合されてなり、内部にはテープリールや回転をロックする部品などが備えられている。
【０００３】
ところで、一般的に記録テープは消耗品であるので、使用条件や経年変化により、記録テープの劣化がおこり、ユーザーは必要に応じて新品の記録テープカートリッジを購入する必要がある。また、クリーニングカートリッジの場合も有効な使用回数に限りがあるため、既定回数使用した後は新しいカートリッジを購入する必要がある。
【０００４】
近年、ＣＯ２による地球温暖化、廃棄物の処理問題、資源需要増大による価格の高騰などの問題が取りざたされている。製造業においては省エネルギー、省資源化、廃棄物の削減が望まれる。一方これら問題解決の方法としてはリユース、リデュース、リサイクルが挙げられる。本来は繰り返し使うリユースが地球環境に一番良いことは明らかであるが、特定の工業製品以外中々進んでいない。リサイクルに関しての取り組みは進んできたが、市場からの回収品のリサイクルとなると、分解、分別、再生に大きなエネルギーとコストがかかり、貴金属類などの高価な材料を除き、事業ベースでは逆に負担が増える場合も多い。
【０００５】
そこで、特許文献２では上ケースと下ケースとが樹脂製の接合部材で接合されている記録メディアカートリッジや、その接合部材はケースと同一の樹脂材で成形されている記録メディアカートリッジを提案している。この記録メディアカートリッジによれば、リサイクル性（廃棄性及び再利用性）を向上させることができると記載されている。
【０００６】
【特許文献１】特開２００２‐１９０１７７号公報
【特許文献２】特開２００７‐０５２８４０号公報
【発明の開示】
【発明が解決しようとする課題】
【０００７】
しかしながら、リサイクル性も高めると同時に品質維持も重要な課題となる。実際にケースの再利用を繰り返した場合において、見た目でのケースの再利用可否を判断することは不可能ではないが、目に見えにくい樹脂の劣化や脆弱化までは判断が難しい。
【０００８】
本発明は、上記問題の解決のためになされたものであって、その目的とするところは現在廃棄されているテープカートリッジ部品の再利用することによる、部品調達、製造コストの削減及び地球環境の保護と同時に、再利用対象の部材の品質保持をも実現する記録テープカートリッジを提供する。
【課題を解決するための手段】
【０００９】
本発明のテープカートリッジは、本体ケースと、本体ケース内にテープが巻装された少なくとも一つのリールを備え、テープカートリッジ内の部品のリユースに関する履歴情報を記録するリユース情報記録部を備えるテープカートリッジである。このテープカートリッジは、以下の（１）〜（３）までの要件のいずれかを満たすと更に好ましい。
（１）テープはクリーニングテープである。
（２）リユース品であることを本体ケース外面に表示する。
（３）本体ケース内に更に非接触式メモリーを備え、メモリー内にリユースに関する履歴情報を記録する。
【発明の効果】
【００１０】
本発明のテープカートリッジでは、テープカートリッジ部品の再利用することによる部品調達、製造コストの削減及び地球環境の保護と同時に、再利用対象の部材の品質保持をも実現することができる。また、従来と比較して製造面でのコストを削減することが出来る。
【００１１】
同一の記録面に繰り返し記録・再生を行うことが出来る記録テープと違って、クリーニングテープは一度クリーニングを行った面を再度クリーニングに使用するこが出来ない。従って、記録用テープのテープカートリッジに比べてクリーニング用のテープカートリッジの方が、使用開始から廃棄するまでの使用回数が少ないため、本体ケースは比較的高品質を保ったまま廃棄する場合が多い。（１）を満たすテープカートリッジを使用すると、比較的高品質を保った状態の部品をリユースすることが出来るので、リユース効果が高い。
【００１２】
（２）を満たすテープカートリッジでは、本体ケースにリユース品であることを表示することで、ユーザー、回収者、メーカーもリユース品であることを認知しやすくなり、好ましい。
【００１３】
（３）を満たすテープカートリッジであれば、リユースに関する情報を非接触で記録することが出来、テープカートリッジからテープを引き出して記録したり、テープカートリッジを分解することなく簡単にリユースに関する履歴情報を記録・再生することが出来て好ましい。
【発明を実施するための最良の形態】
【００１４】
以下、図面を用いて説明を行う。本願のテープカートリッジは図面に限られるものではなく、本願の趣旨を逸脱しない限り、適宜適応可能である。
【００１５】
図１、図２に本願の一例であるテープカートリッジを示す。図１は本願実施例のテープカートリッジの斜視図であり、図２は本願実施例のテープカートリッジの展開斜視図である。上ケース１ａと下ケース１ｂとで構成される本体ケース１と、一つのリール２と、リールに巻装されたテープ３と、ドア４とドアバネ５を備える。リール２は上フランジ２１と下フランジ付きハブ２２を接合している。ドア４は不使用状態において、常に閉じる方向へドアバネ５で付勢されている。これらの構成は従来のテープカートリッジと変わらない。
【００１６】
本願実施例のテープカートリッジは、本体ケース１の上面には一見してわかるように、リユース品であることがわかる表示１００がある。図１、図２では「Ｒｅｕｓｅ」の頭文字であるアルファベットの「Ｒ」を刻印しているが、リユース品であることを表すあらゆる文字や図が表示１００に適用できる。また、刻印に限らずプリントやスタンプでの表示でも良い。視覚的な表示に限らず、点字での表示やシボ加工を施すなどの触覚的な表示でも良い。本実施例ではテープカートリッジ上面に表示しているが、どの面のどの位置に表示しても良い。
【００１７】
本体ケース１内には、先に説明したリール２、テープ３、ドア４、ドアバネ５の他に、リールの不使用時の回転を規制するリールロック具１２とリールの回転規制を解除するリールロック解除具１３を間に挟んだ状態でリールを下方へ付勢するばね１１が設置される。また、ケースの一角には非接触メモリー１０も備えている。これらの部品を内蔵し、上ケース下ケースを蓋合わせ状にビス１４で固定する。
【００１８】
本実施例ではリユース情報記録部として、非接触メモリー１０にリユースに関する履歴情報（以下リユース情報とも言う）を記録する。このタイプのテープカートリッジでは、従来でも非接触メモリーを搭載してる場合があるので、設計変更することなく、リユース情報を記録することが可能である。その他のリユース情報記録部としては、テープのＢＯＴ（Ｂｅｇｉｎｉｎｇ  ｏｆ  Ｔａｐｅ）領域に適用することも可能である。
【００１９】
また、リユース情報をテープカートリッジ外面または内面にバーコードでの表示を行っても良い。テープカートリッジ外面に表示する場合は、表示１００と兼用とすることも可能である。
【００２０】
リユースの手順の一例を以下に説明する。まず顧客から不要となったテープカートリッジを回収する。回収したテープカートリッジからリユース情報記録部からリユース情報を読み取り、生産ラインにて再利用不能部品であるテープを巻き取り廃棄する。例えば、本体ケースは５回以上のリユースを行ったら廃棄するなど予め品質保持できる規定回数や期間を定め、その回数や期間リユースした後は廃棄などの措置をとることにより、リユース品であっても、製品の品質を保持することが可能になる。
【００２１】
テープ無しカートリッジは新品の組み立て済みカートリッジと全く同一の形状をしているので、その後の工程は全て新品のテープカートリッジと同一のラインが使用できる。その後、各種品質確認の検査を行い、リユース情報記録部へリユース情報を更新して、リユース品として出荷する。このようにして、部品調達や製造コストの削減及び地球環境の保護と同時に、再利用対象の部材の品質保持をも実現することができる。
【００２２】
以上のように本実施例についての説明を行ったが、本発明はワンリールタイプのテープカートリッジに限らず、２リールカートリッジにも適応可能である。実施例の説明では「テープ」と表記し、特にどのようなテープかは限定していないが、記録テープやクリーニングテープなどが使用でき、前述して理由でクリーニングテープであるとリユース効果が高くなる。
【図面の簡単な説明】
【００２３】
【図１】本発明の一例を表すテープカートリッジの斜視図である。
【図２】本発明の一例を表すテープカートリッジの上下展開斜視図である。
【符号の説明】
【００２４】
１      本体ケース
２      リール
３      テープ
１０    非接触メモリー
１００  表示
【図１】
2010033655.tif 000003
【図２】
2010033655.tif 000004